(57)【特許請求の範囲】
【請求項１】
身体側に面する透水性の表面側シートと衣服側に面する透水性又は不透水性の裏面側シートとが体液を吸収する吸収体を内包させた形態で接合されて成るものであり、陰唇間に係着させて用いる陰唇間パッドであって、
略平板状の平坦領域と、当該平坦領域の長手方向の略中心線に沿って当該平坦領域から身体側に向かって垂直に突出する第１の隆起領域とによって構成され、
前記平坦領域及び前記第１の隆起領域が、下記式（１）から下記式（３）の条件を満たしており、
１≦Ｈ１／Ｈ２≦    １０    ・・・式（１）
１／３≦Ｗ１／Ｗ２≦５／６    ・・・式（２）
１／３≦Ｌ１／Ｌ２≦        １    ・・・式（３）
（但し、Ｈ１：第１の隆起領域の見かけの嵩高、Ｈ２：平坦領域の見かけの嵩高、Ｗ１：第１の隆起領域の見かけの最大幅、Ｗ２：平坦領域の見かけの最大幅、Ｌ１：第１の隆起領域の見かけの最大長さ、Ｌ２：平坦領域の見かけの最大長さ）
前記平坦領域の長手方向の略中心線に沿って、前記平坦領域から衣服側に向かって垂直に突出する第２の隆起領域を更に有し、
前記第２の隆起領域は、前記吸収体を内包し、前記第１の隆起領域と実質的に同じ隆起形状を備えていることを特徴とする陰唇間パッド。
【請求項２】
前記式（１）におけるＨ１が５から３０ｍｍ、前記式（２）におけるＷ１が２から３０ｍｍ、前記式（３）におけるＬ１が２０から１５０ｍｍである請求の範囲第１項に記載の陰唇間パッド。
【請求項３】
前記第１の隆起領域に内包される第１吸収体を身体側に向かって山折り状に構成することによって、
前記第１の隆起領域の衣服側に中空領域を形成した請求の範囲第１項または第２項に記載の陰唇間パッド。
【請求項４】
前記山折り状に構成された第１吸収体の衣服側の表面に透水性の内部シートを配置し、当該内部シートと前記表面側シートとが前記第１吸収体を内包させた形態で接合されて成る請求の範囲第３項に記載の陰唇間パッド。
【請求項５】
前記第１の隆起領域に内包される第１吸収体と前記平坦領域に内包される第２吸収体とを単一の吸収体シートで構成した請求の範囲第１項から第４項のいずれかに記載の陰唇間パッド。
【請求項６】
前記第２の隆起領域に内包される第３吸収体を衣服側に向かって山折り状に構成することによって、
前記第２の隆起領域の身体側に中空領域を形成した請求の範囲第１項から第５項のいずれかに記載の陰唇間パッド。
【請求項７】
少なくとも前記第１の隆起領域における前記透水性の表面側シートと、前記第１吸収体と、を構成する繊維が、前記陰唇間パッドの短手方向に配向している請求の範囲第１項から第６項のいずれかに記載の陰唇間パッド。
【請求項８】
前記平坦領域の身体側の表面に粘着部を有している請求の範囲第１項から第７項のいずれかに記載の陰唇間パッド。
【請求項９】
生理用ナプキンと併用される生理用ナプキン併用用陰唇間パッドである請求の範囲第１項から第８項のいずれかに記載の陰唇間パッド。
【請求項１０】
前記裏面側シートの衣服側に、当該裏面側シートの長手方向の各側部において一箇所以上の接合部分と、当該裏面側シートの短手方向において一箇所以上の非接合部分と、をもって接合されたミニシート片を備え、前記一箇所以上の非接合部分の少なくとも一つが、前記ミニシート片と前記裏面側シートとの間において、前記裏面側シートの面方向に指幅の開口が直接的に確保される指挿入用口を形成するものである請求の範囲第１項から第９項のいずれかに記載の陰唇間パッド。
【請求項１１】
前記陰唇間パッドは尿失禁用の陰唇間パッドであることを特徴とする請求の範囲第１項から第１０項のいずれかに記載の陰唇間パッド。
【請求項１２】
前記陰唇間パッドはおりもの吸収用の陰唇間パッドであることを特徴とする請求の範囲第１項から第１０項のいずれかに記載の陰唇間パッド。
【請求項１３】
請求の範囲第１項から第１２項のいずれかに記載の陰唇間パッドが個別包装用の包装容器に内包されている包装体。
【請求項１４】
請求の範囲第１０項から第１２項のいずれかに記載の陰唇間パッドが、開封口を有する個別包装用の包装容器に内包されている包装体であって、
前記陰唇間パッドが、前記指挿入用口が前記開封口に向かって開口するように、前記包装容器に内包されている包装体。
【請求項１５】
前記陰唇間パッドが、前記ミニシート片が前記陰唇間パッドの長手方向の略中心線に沿って衣服側方向に向かって山折り状となるように、前記包装容器に内包されている請求の範囲第１４項に記載の包装体。
【発明の詳細な説明】
【０００１】
発明の背景
技術分野
本発明は、女性の陰唇間に係着させて用いる、経血を吸収させるための陰唇間パッドに関し、詳しくは、陰唇内壁に沿って身体下方向に向かって流下する高速かつ多量の経血をも確実に吸収し得る陰唇間パッドの構造に関する。
【０００２】
関連技術
従来より、女性用生理用品としては、生理用のナプキンやタンポンが一般的に用いられている。しかしながら、ナプキンについては、衣服に当接させて用いるものであり、膣口付近への密着性が乏しいために身体との隙間から経血のモレが生じ易く、一方、タンポンは、その物品の属性に起因して、装着時の異物感や不快感を生じ易く、膣内への装着が困難であるという問題があった。
このような状況下、ナプキンとタンポンの中間に位置する生理用品として、近年、陰唇間パッドなる生理用品が注目されるようになってきている。
【０００３】
この陰唇間パッドは、女性の陰唇間にその一部分を挟み込ませ、陰唇に当接させて装着するというものであり、ナプキンよりも身体との密着性が高いために経血のモレが生じ難く、また膣内に挿入するタンポンと比較して装着時の心理的抵抗も少ないという特徴を有している。
上記のような陰唇間パッドとしては、例えば第２図に示すような、陰唇間パッド２４が提案されている（特開昭６１−１４９１４５号公報）。
【０００４】
かかる陰唇間パッド２４は、パッドの前方領域２４ａを身体前方側に、パッドの後方領域２４ｂを身体後方側に位置させた後、パッドの後方領域２４ｂをパッドの長手方向の略中心線２６に沿って折曲して凸部を形成し、当該凸部を陰唇間に挟み込み、陰唇自体の挟持力によって固定して使用するものである。このような陰唇間パッド２４によれば、陰唇内壁に沿って身体前後方向に流れ、或いは皮膚を伝って身体左右方向に流れる経血については確実に吸収することが可能である。
【０００５】
しかしながら、上記の陰唇間パッドは、陰唇内から身体下方向に向かって流下する経血の吸収性能については未だ不十分なものであった。これは、経血が陰唇内壁に沿って身体前後方向に流れ、或いは皮膚を伝い身体左右方向に流れて排泄される場合には皮膚の摩擦抵抗や陰毛の影響などにより比較的流下速度が遅く、経血量も少量であるのに対し、陰唇内から身体下方向に向かって流下する場合には瞬間的な体勢の変化時に子宮内に滞留していた経血が一時に排泄されるため、流下速度が高速でかつ経血量も多量であることによるものである。
【０００６】
即ち、上記の陰唇間パッドは、陰唇内から身体下方向に向かって流下する経血を経血流下方向と平行に配置されたパッド後方の凸部のみによって吸収しようとするものであるため、高速かつ多量の経血についてはパッドに吸収される前に凸部の傾斜面に沿って流れてしまい、経血がパッド外に流出してモレが発生する危険性がある。このような場合、陰唇間パッドはナプキンよりサイズが小さいため、経血のモレによる被害も甚大なものとなってしまう。
【０００７】
発明の開示
本発明は、以上のような課題に鑑みてなされたものであり、その目的は、陰唇内壁に沿って身体下方向に向かって流下する高速かつ多量の経血をも確実に吸収し得る陰唇間パッド（以下、「パッド」と記す場合がある。）を提供することにある。
【０００８】
上記のような課題を解決するために、本発明においては、陰唇間パッドを、吸収能を備える平坦領域の一部に隆起領域を設けるようにし、隆起領域と平坦領域の割合を精密に制御することによって、隆起領域の傾斜面に沿って経血が流れてしまった場合でも、平坦領域の吸収能力によって経血を確実に吸収し、経血がパッド外に流出してモレが発生する危険性を低減させるものである。
【０００９】
より具体的には、本発明は以下のようなものを提供する。
【００１０】
（１）  身体側に面する透水性の表面側シートと衣服側に面する透水性又は不透水性の裏面側シートとが体液を吸収する吸収体を内包させた形態で接合されて成るものであり、陰唇間に係着させて用いる陰唇間パッドであって、略平板状の平坦領域と、当該平坦領域の長手方向の略中心線に沿って、当該平坦領域から身体側に向かって垂直に突出する隆起領域とによって構成され、前記平坦領域、及び前記隆起領域が、下記式（１）から下記式（３）の条件を満たしていることを特徴とする陰唇間パッド。
【００１１】
１≦Ｈ１／Ｈ２≦    １０    ・・・式（１）
１／３≦Ｗ１／Ｗ２≦５／６    ・・・式（２）
１／３≦Ｌ１／Ｌ２≦        １    ・・・式（３）
（但し、Ｈ１：隆起領域の見かけの嵩高、Ｈ２：平坦領域の見かけの嵩高、Ｗ１：隆起領域の見かけの最大幅、Ｗ２：平坦領域の見かけの最大幅、Ｌ１：隆起領域の見かけの最大長さ、Ｌ２：平坦領域の見かけの最大長さ）
【００１２】
本発明の陰唇間パッドは、第３図の（ａ）、第３図の（ｂ）に示すように、隆起領域３４ｂ，４４ｂが平坦領域３４ａ，４４ａの長手方向の略中心線３６，４６に沿って（即ち、平坦領域３４ａ，４４ａの短手方向の中央部に連続的に）、当該平坦領域３４ａ，４４ａから身体側に向かって垂直に突出している。当該陰唇間パッド３４，４４の隆起領域３４ｂ，４４ｂを陰唇間に挟み込むと、外陰部は隆起領域３４ｂ，４４ｂの下端側に位置する略平板状の平坦領域３４ａ，４４ａによってその全体が覆われる。従って、陰唇間に介在する隆起領域３４ｂ，４４ｂが第一次的に排泄される体液、例えば経血の大半を吸収するとともに、万が一、経血が高速かつ多量であって、隆起領域３４ｂ，４４ｂでは吸収しきれず、隆起領域３４ｂ，４４ｂの傾斜面に沿って流れてしまった場合でも、外陰部全体を覆う平坦領域３４ａ，４４ａによって第二次的に経血の吸収が行われる。このように、隆起領域３４ｂ，４４ｂと平坦領域３４ａ，４４ａとが相俟って、陰唇内壁に沿って身体下方向に向かって流下する高速かつ多量の経血にも対応することが可能となる。
【００１３】
本発明の陰唇間パッドは上述のように平坦領域と隆起領域とから構成されていることの他、平坦領域と隆起領域とが、以下の条件を満たしている必要がある。これは、たとえ陰唇間パッドを平坦領域と隆起領域とから構成したとしても、その形状を精密に制御しなければ、陰唇間パッドと身体との間に空隙が生じたり、陰唇間パッドが陰唇間から脱落したり、或いは陰唇間パッドの吸収体の容量が不足することによって、経血のモレが発生するおそれがあるからである。また、その形状が精密に制御されていないと、タンポンと同様に装着時に異物感や不快感を生じ、膣内への装着が困難となる場合も生じ得るからである。
【００１４】
より詳しくは、第１に、下記式（１）の条件を満たしている必要がある。
１    ≦    Ｈ１／Ｈ２≦        １０    ・・・式（１）
（但し、Ｈ１：隆起領域の見かけの嵩高、Ｈ２：平坦領域の見かけの嵩高）
見かけ嵩高比Ｈ１／Ｈ２が１未満であると、外陰部を覆う平坦領域の剛性が高まってしまい、装着時に異物感や不快感を生じるおそれがある。一方、Ｈ１／Ｈ２が１０を超えると、隆起領域で吸収しきれなかった経血を吸収する平坦領域の容積が減少してしまうため、経血のモレが発生する危険性がある。
【００１５】
第２に、下記式（２）の条件を満たしている必要がある。
１／３    ≦    Ｗ１／Ｗ２≦    ５／６    ・・・式（２）
（但し、Ｗ１：隆起領域の見かけの最大幅、Ｗ２：平坦領域の見かけの最大幅）
見かけ最大幅比Ｗ１／Ｗ２が１／３未満であると、平坦領域の幅が必要以上に広くなってしまい、装着時に異物感や不快感を生じるおそれがあることの他、装着者の大腿部（内腿）と陰唇間パッドの側部、又は陰唇間パッドの衣服側表面と下着とが接触し、両者の摩擦抵抗が増加することに起因して、パッドが陰唇間から脱落する危険性がある。これに対し、見かけ最大幅比Ｗ１／Ｗ２が５／６超であると、平坦領域で外陰部の短手方向を覆うことができなくなるため、隆起領域で吸収しきれなかった経血を吸収すべき領域が減少し、経血のモレが発生し易くなる。
【００１６】
第３に、下記式（３）の条件を満たしている必要がある。
１／３    ≦    Ｌ１／Ｌ２≦            １    ・・・式（３）
（但し、Ｌ１：隆起領域の見かけの最大長さ、Ｌ２：平坦領域の見かけの最大長さ）
見かけ最大長さ比Ｌ１／Ｌ２が１／３未満であると、パッドの衣服側表面と下着とが接触する部分が必要以上に長くなるばかりではなく、平坦領域の後方部と臀部との接触面積も増してしまうため、パッドが陰唇間から脱落し易くなってしまう。その一方で、見かけ最大長さ比Ｌ１／Ｌ２が１超であると、平坦領域で外陰部の長手方向を覆うことができなくなるため、高速かつ多量の経血が排泄された場合に対応することができず、経血のモレが発生し易くなる。
【００１７】
なお、第３図の（ｂ）の陰唇間パッド４４はＬ１／Ｌ２が０．５程度であり、Ｌ１／Ｌ２がほぼ１である第３図の（ａ）の陰唇間パッド３４と比較して平坦領域の経血の吸収能力がより高く、経血の排泄量が多い場合や頻繁にパッドの交換をできない場合に好適に用いることができる。
【００１８】
なお、本明細書において、「嵩高」というときは隆起領域が突出している方向の寸法を意味し、「幅」というときはパッドの短手方向への寸法を意味し、「長さ」というときはパッドの長手方向への寸法を意味する。
【００１９】
また、本明細書における「みかけの」とは、「嵩高」、「幅」、「長さ」の各寸法が最短の２点間距離であることを意味するものである。これは、製造工程との関係で、凹凸形状を辿った２点間の「道のり」（換言すれば、凹凸形状を展開したフラットな状態での２点間距離）を実際の「幅」等として取り扱う場合があるため、入念的に定義したものである。
【００２０】
例えば、第１２図に示すような陰唇間パッド８１の場合には、隆起領域８１ｂの「実際の幅」Ａが隆起領域８１ｂの凸部分の道のりを示し、平坦領域８１ａの「実際の幅」Ｂが隆起領域８１ｂの凸部分と平坦領域８１ａの全体の道のりを示すのに対し、隆起領域８１ｂの見かけの幅Ｗ１は隆起領域８１ｂの凸部分の端点の２点間を結んだ距離を示し、平坦領域８１ａの見かけの幅Ｗ２は平坦領域８１ａの端点の２点間を結んだ距離を示すことになる。
嵩高や長さについても同様である。
【００２１】
（２）  前記式（１）におけるＨ１が５〜３０ｍｍ、前記式（２）におけるＷ１が２〜３０ｍｍ、前記式（３）におけるＬ１が２０〜１５０ｍｍである上記（１）に記載の陰唇間パッド。
【００２２】
前記式（１）におけるＨ１は５〜３０ｍｍであることが好ましく、１０〜２５ｍｍであることが更に好ましい。この範囲よりＨ１が小さくなると、陰唇内壁と隆起領域との接触面積が減少することによってパッドが陰唇間に固定され難くなり、パッドが陰唇間から脱落するおそれがある。一方、この範囲よりＨ１が大きくなると、陰唇の深さに対する隆起領域の嵩が過剰となることに起因して、平坦領域の表面と外陰部との間に空隙が発生して経血のモレが発生する危険性がある。
【００２３】
前記式（２）におけるＷ１は２〜３０ｍｍであることが好ましく、５〜２０ｍｍであることが更に好ましい。この範囲よりＷ１が小さくなると、隆起領域が陰唇間に介在するために十分な接触面積や容積を有することができず、パッドが陰唇間から脱落し易くなってしまう。これに対し、この範囲よりＷ１が大きくなると、隆起領域の剛性が高まってしまうため、陰唇間に無理なく挟み込むことが困難となったり、或いは装着時に異物感や不快感を生じたりするおそれがある。
【００２４】
前記式（３）におけるＬ１は２０〜１５０ｍｍであることが好ましく、３０〜１１０ｍｍであることが更に好ましく、５０〜１００ｍｍであることが特に好ましい。この範囲よりＬ１が小さくなると、隆起領域が陰唇間に介在するために十分な接触面積や容積を有することができず、パッドが陰唇間から脱落し易くなってしまう。一方、この範囲よりＬ１が大きくなると、陰唇内部の長さに対する隆起領域の長さが過剰となることに起因して、陰唇間に無理なく挟み込むことが困難となったり、或いは装着時に異物感や不快感を生じたりするおそれがある。
【００２５】
（３）  前記隆起領域に内包される第１吸収体を身体側に向かって山折り状に構成することによって、前記隆起領域の衣服側に中空領域を形成した上記（１）または（２）に記載の陰唇間パッド。
【００２６】
本発明における「山折り状」とは、第４図の（ａ）に示すように、隆起領域５４ｂ全体に吸収体５３を充填するのではなく、第４図の（ｂ）に示すように、隆起領域５４ｂの衣服側内部（即ち、隆起の裾側）に中空領域５７を形成したものを意味する。例えば、第４図の（ｃ）に示すように、実際に吸収体５３ｂを山折りしたものに限定されず、第４図の（ｂ）に示すような、吸収体５３ｂを逆Ｕ字型、逆Ｖ字型などの形状に賦形したもののように隆起領域５３ｂの衣服側内部（即ち、隆起の裾側）に中空領域５７が形成される形状を広く包含するものである。中空領域を形成すると、パッドが低荷重でも陰唇の変形に追従して変形するので、フィット性に優れ、装着時に異物感や不快感を生じるのを防止することができる。
【００２７】
（４）  前記山折り状に構成された第１吸収体の衣服側の表面に透水性の内部シートを配置し、当該内部シートと前記表面側シートとが第１吸収体を内包させた形態で接合されて成る上記（３）に記載の陰唇間パッド。
【００２８】
隆起領域内の中空領域は、既述の如く、パッドのフィット性を向上させることに役立つ他、パッド装着時に指を挿入して保持できる空間（指挿入用空間）としても利用することができる。この場合において、第４図の（ｃ）に示すように、第１吸収体５３ｂの衣服側の表面に透水性の内部シート５８が配置されていると、指と吸収体の繊維とが接触することなく衛生的であり、更には、指先の腹に当該内部シート５８を接触させながら指を挿入すると、指先の腹でパッドの装着ポイントを探知し易いという利点がある。
【００２９】
また、パッド装着の際に誤って平坦領域５４ａを陰唇間に埋没させることが少なくなり、パッドの隆起領域５４ｂの部分のみを陰唇間に挟み込むことが容易となる。即ち、装着者の意思により確実な位置で隆起領域５４ｂを陰唇間に挟み込むことができるため、経血のモレを確実に防止することができ、更にはパッドが陰唇間から脱落する危険性が低下する。
【００３０】
（５）  前記隆起領域に内包される第１吸収体と前記平坦領域に内包される第２吸収体とを単一の吸収体シートで構成した上記（１）から（４）のいずれかに記載の陰唇間パッド。
【００３１】
第５図に示すように、第１吸収体（隆起領域に内包される部分の吸収体）と第２吸収体（平坦領域に内包される部分の吸収体）とは連続した単一の吸収体シート５３ｃで構成してもよい。このような構造とすれば第１吸収体と第２吸収体とが離間することがなく、両者の間に空隙も生じないため、吸収された経血が第１吸収体から第２吸収体に速やかに移行する。従って、高速かつ多量の経血にも対応することが可能となる。
【００３２】
（６）  前記平坦領域の長手方向の略中心線に沿って、前記平坦領域から衣服側に向かって垂直に突出する第２の隆起領域を有している上記（１）から（５）のいずれかに記載の陰唇間パッド。
【００３３】
第６図に示すように、平坦領域５４ａの身体側のみならず衣服側にも第２の隆起領域５９を設けることによって、吸収体の容量を大幅に増加させることができる。従って、高速かつ多量の経血にも対応することが可能となり、また、パッドを長時間使用した場合でもオーバーフローによる経血のモレを生ずることが少なくなる。更に、第２の隆起領域５９は衣服側に突出しているため、パッドの脱着の際に指で摘むことができ、パッドの装着を容易とすることに資する。
【００３４】
（７）  前記第２の隆起領域に内包される第３吸収体を衣服側に向かって山折り状に構成することによって、前記第２の隆起領域の身体側に中空領域を形成した上記（６）に記載の陰唇間パッド。
【００３５】
第７図に示すように、第２の隆起領域５９の内部に中空領域６１を形成すると吸収体６０の剛性が低下し、低荷重に対しても容易に変形するため、パッド装着時には第２の隆起領域５９は下着からの押圧力によって身体左右方向に潰れた状態となる。従って、衣服の外部からパッドの存在を察知され難い（目立たない）という利点がある。また、第２の隆起領域５９の剛性が低いため、下着との摩擦抵抗も減少し、陰唇間からパッドが脱落する危険性も低下する。
【００３６】
（８）  少なくとも前記隆起領域における前記透水性の表面側シートと、前記第１吸収体と、を構成する繊維が、前記陰唇間パッドの短手方向に配向している上記（１）から（７）のいずれかに記載の陰唇間パッド。
【００３７】
表面側シートおよび第１吸収体を構成する繊維をパッドの短手方向に配向させることにより、吸収した経血が繊維層の配向方向、即ち、身体左右方向に移行し易くなり、経血を第１吸収体から第２吸収体に速やかに移行させることが可能となる。なお、「少なくとも」とあるから、表面側シート、第１吸収体に加えて他の部材（例えば、第２吸収体や第３吸収体、内部シートなど）を構成する繊維をパッドの短手方向に配向させたものも本発明の範囲に含まれる。
【００３８】
（９）  前記平坦領域の身体側の表面に粘着部を有している上記（１）から（８）のいずれかに記載の陰唇間パッド。
【００３９】
第８図に示すように、このように表面側シート５１に粘着部６２を形成することにより、パッドを陰唇間若しくは外陰部に、より強固に密着させることができ、装着者の急激な体勢変化によってもパッドと身体との間に空隙が生じるのを防止することができる。従って、装着者はその行動を制限されることなく、安心して自由な活動をすることができるようになる。
【００４０】
「粘着部」は表面側シートに粘着剤を塗布することにより形成することができる。本発明において使用可能な粘着剤としては、水溶性高分子、架橋剤、可塑剤、水分から成るゲル粘着剤等が挙げられる。より具体的には、水溶性高分子の例として、ゼラチン、ポリアクリル酸ナトリウム、ポリビニルアルコール、カルボキシルメチルセルロース等が、架橋剤の例として、塩化カルシウム、硫酸マグネシウムのような水溶性金属塩が、可塑剤の例として、グリセリン、ワックス、パラフィン等が挙げられる。
【００４１】
この他にも、感圧型ホットメルト粘着剤も粘着部を形成するための粘着剤として使用することができる。感圧型ホットメルト粘着剤は、スチレン−イソプレン−スチレンブロック共重合体（ＳＩＳ）、スチレン−ブタジエン−スチレンブロック共重合体（ＳＢＳ）、スチレン−エチレン・ブタジエン−スチレンブロック共重合体（ＳＥＢＳ）、スチレン−エチレン・プロピレン−スチレンブロック共重合体（ＳＥＰＳ）のような合成ゴム樹脂を主たる成分とし、そこにテルペン樹脂、ロジン樹脂などの粘着付与剤とワックス等の可塑剤を溶融混合することによって得られる。
【００４２】
更には、シリコーン樹脂系粘着剤も使用することが可能である。シリコーン樹脂系粘着剤としては、シリコーン樹脂、フッ素樹脂を主たる成分とし、白金、モリブデン、アンチモン等の金属塩等の架橋剤、エステル系ワックス、グリセリン、マシンオイル等の可塑剤を混合して成る混合物などが挙げられる。
【００４３】
このように粘着部を形成するための粘着剤は多種類存在するが、塗布安定性を考慮すると、感圧型ホットメルト粘着剤を用いることが好ましい。塗布安定性が高い感圧型ホットメルト粘着剤としては、ＳＥＢＳを１５〜２５質量％、可塑剤を１５〜３５質量％、粘着付与剤を４０〜７０質量％で溶融混合したものが挙げられる。この感圧型ホットメルト粘着剤については、酸化防止剤、蛍光防止剤などを０．１〜１．０質量％の範囲で添加してもよい。
【００４４】
（１０）  生理用ナプキンと併用される生理用ナプキン併用用陰唇間パッドである上記（１）から（９）のいずれかに記載の陰唇間パッド。
【００４５】
生理用ナプキン（以下、単に「ナプキン」と記す。）の利用者の中には、経血の量が多いときは何枚か重ねて使用するという者もいるが、ゴワゴワする等、装着感が悪く、衣服の外部からパッドの存在を察知され易い（目立つ）という問題があった。また、膣近傍以外の重ね使用が不要な部分にまでナプキンが重ねられてしまうため、かぶれやムレの原因ともなっていた。しかし、パッドとナプキンを併用することにより、膣近傍のみに生理用品が重ねられることとなるため、上記の問題を回避することが可能である。更には、ナプキンを交換することなく、パッドのみを交換することができるため、装着者は人目につき易い大きさのナプキンを持ち歩かずに済む、という効果もある。ここで生理用ナプキンとは経血吸収用として販売されているナプキンだけでなく、おりもの吸収用シートも含んでよい。
【００４６】
（１１）  前記裏面側シートの衣服側に、該裏面側シートの長手方向の各側部において一箇所以上の接合部分と、当該裏面側シートの短手方向において一箇所以上の非接合部分と、をもって接合されたミニシート片を備え、前記一箇所以上の非接合部分の少なくとも一つが、前記ミニシート片と前記裏面側シートとの間において、前記裏面側シートの面方向に指幅の開口が直接的に確保される指挿入用口を形成するものである上記（１）から（１０）のいずれかに記載の陰唇間パッド。
【００４７】
第９図の（ａ）、第９図の（ｂ）に示すように、前記ミニシート片６４は、裏面側シート５２の短手方向においては、ミニシート片６４の両袖部のうち少なくとも一方の袖部が、裏面側シート５２の面に対して接合されていない。これにより、非接合状態にあるミニシート片６４の一方の袖部と裏面側シート５２との間に袖口が形成され、かかる袖口が指の挿入が可能な指挿入用口６５となる。
【００４８】
また、裏面側シート５２の長手方向においては、ミニシート片６４は裏面側シート５２の左右側部においてのみ接合され、内側については接合（貼着）されていない。このため、ミニシート片６４は裏面側シート５２の一側部から他側部にまたがった状態で取り付けられることとなり、かかる一側部から他側部にまたがった部分において、貫通した或いは非貫通の空間（指挿入用空間）が形成される。かかる空間には、指を挿入して保持することが可能である。
【００４９】
ここで、本明細書において「指幅」とは、指の厚みではないことを意味し、具体的には爪の広がり方向の指の幅のことをいい、「指幅の開口」とは、指を挿入することができるのに十分な大きさを有する開口をいう。
【００５０】
また、裏面側シートの面方向に指幅の開口が「直接的に確保される」とは、パッド装着のために指をパッドに自然な形で挿入した場合に（指の腹が裏面側シートの衣服側表面に向くようにしてそのまま挿入した場合に）、パッド自体が一次的に指挿入に適するような形となるように形成されていることを意味する。このため、装着者が指を挿入した後に指を回転させることにより面方向に指幅の開口を確保できるというような、二次的に裏面側シートの面方向に指幅の開口が形成される場合は除かれることとなる。
【００５１】
以上に説明したようなミニシート片を備えたパッドにおいては、前記指挿入用口に指を挿入することにより、指先にパッドを一時的に固定して保持することが可能となる。この場合において、指挿入用口は、装着者の指幅の開口となるように形成されているため、扁平な形状である指先が、裏面側シートに対して異方向となることなく、自然に裏面側シートの面に接するように挿入されるようになる。即ち、指挿入用口が装着者の指先形状に倣って裏面側シートの面方向に横広な形状となっているため、装着者の指挿入方向が決定され、指先の腹で装着ポイントを探知するように装着者を仕向けることができるのである。これにより、目視困難な陰唇間への装着であっても、正確な装着ポイントを的確に把握しながら、適切な位置にパッドを装着することが可能となる。
【００５２】
なお、本発明において、裏面側シートの長手方向における「側部」には、パッドの周縁部のみならず、ミニシート片の接合可能な周縁部近傍も含まれる。
【００５３】
（１２）  前記陰唇間パッドは尿失禁用の陰唇間パッドであることを特徴とする上記（１）から（１１）のいずれかに記載の陰唇間パッド。
【００５４】
本発明に係る陰唇間パッドによれば、尿失禁用の吸収パッドとして使用することができる。即ち、経血を排出する膣口と尿を排出する尿道口とはいずれも陰唇間に位置するものであるため、本発明に係る陰唇間パッドを陰唇間に挟み込んで使用した場合には、尿を吸収することができる。
このように、本発明によれば、尿を陰唇間、特に尿道口付近で吸収できるので、尿失禁特に軽度の尿失禁に対して有効な吸収パッドを得ることができる。
【００５５】
（１３）  前記陰唇間パッドはおりもの吸収用の陰唇間パッドであることを特徴とする上記（１）から（１１）のいずれかに記載の陰唇間パッド。
【００５６】
本発明に係る陰唇間パッドによれば、陰唇間パッドをおりもの吸収用として使用することができる。即ち、本発明に係る陰唇間パッドは陰唇間に挟み込んで使用するものであることから、膣口からの経血以外の分泌物（おりもの）も吸収することができるので、そのための用途（おりもの吸収用）にも使用することができるのである。
このように、本発明によれば、おりものを吸収して着用者の不快感を軽減することができるため、生理時以外の着用者にとっても有効である。
【００５７】
（１４）  上記（１）から（１３）のいずれかに記載の陰唇間パッドが個別包装用の包装容器に内包されている包装体。
【００５８】
陰唇間パッドを個別包装すると、パッドを一つずつ（個別包装毎に）持ち運ぶことが可能となる。このような形態は、複数のパッドを１つの包装容器内に内包させた場合と比較して、パッドを清潔に保ちつつ、持ち運びが容易となり、簡便な取扱いに資する。
【００５９】
（１５）  上記（１１）から（１３）のいずれかに記載の陰唇間パッドが、開封口を有する個別包装用の包装容器に内包されている包装体であって、前記陰唇間パッドが、前記指挿入用口が前記開封口に向かって開口するように、前記包装容器に内包されている包装体。
【００６０】
「指挿入用口が開封口に向かって開口するように」とは、第１３図に示すように、包装体９２を開封するとその開封口にミニシート片９５、ひいてはそれによって形成される指挿入用口９６が表出し、即時に指挿入用口９６に指を挿入することができるように内包されていることを意味する。例えば、第１３図に示す包装体９２は、包装容器９１の上面シート９１ａを図の奥側に向かって開封することにより、その開封口に指挿入用口９６が表出し、開封口に向かって開口する。従って、装着者は、即時に指挿入用口９６に指を挿入することができる。
【００６１】
この際には、例えば、包装体９２を一定方向にしか開封できない構造とする、或いは、第１３図に示すように、包装容器９１に開封方向を指示する目印９７を付する、というようにすることが好ましい。このような態様により、開封方向と指挿入方向が同一方向に揃い、指挿入用口９６が装着者の方を向くように仕向けられるため、装着者がより速やかに指挿入用口９６に指を挿入することが可能となる。
【００６２】
（１６）  前記陰唇間パッドが、前記ミニシート片が前記陰唇間パッドの長手方向の略中心線に沿って衣服側方向に向かって山折り状となるように、前記包装容器に内包されている上記（１５）に記載の包装体。
【００６３】
「衣服側方向に山折り状となるように」とは、衣服側を凸として完全に折曲されている場合の他、第１４図に示すように、衣服側を凸として湾曲させられている場合も含む意味である。このように、陰唇間パッド１０４を包装容器１０１内に内包させることによって、包装容器１０１の開封時に折り畳まれた指挿入用口１０６が自然に開くため、装着者は指を挿入する箇所を容易に把握することができ、パッドの装着を一層迅速かつ簡易なものとすることができる。
【００６４】
この態様においては、ミニシート片が「山折り状」となっていればよく、パッド全体が「山折り状」となっていることを要しない。従って、例えば第１４図に示すように、陰唇間パッド１０４全体を「山折り状」に折り畳んで包装容器１０１内に内包した包装体１０２以外に、第１５図に示すように、ミニシート片１０５のみを「山折り状」とする一方、陰唇間パッド１０４の本体部分については、衣服側に向かって谷折り状に折り畳んで包装容器１０１内に内包した包装体１０２であってもよい。
【００６５】
また、包装容器の開封形式は特に限定されず、第１４図や第１５図に示すように、その上端側を切り取って開封する包装容器１０１の他、第１６図に示すように、上端から左右両側に（いわゆる観音開き式に）開封する包装容器１１１のようなものであってもよい。
【００６６】
発明を実施するための最良の形態
以下、本発明の好適な実施形態の例について図面を参照しながら詳細に説明する。
第１図は、本発明に係る陰唇間パッド１を示す図であり、（ｂ）は上面図であり、（ａ）は（ｂ）のＡ−Ａ’断面図である。
【００６７】
［（Ａ）基本的な陰唇間パッドの構成］
第１図に示すように、本発明の基本的な陰唇間パッド（以下、単に「パッド」と記す。）１４は、平坦領域１４ａと隆起領域１４ｂとから成る。そして、身体側に面する透水性の表面側シート１１、衣服側に面する不透水性の裏面側シート１２、及び吸収体１３を備えており、表面側シート１１と裏面側シート１２とが、周縁部１５においてヒートエンボス加工及び／又はホットメルト型接着剤による接着により、吸収体１３を内包するように一体化されている。
【００６８】
表面側シート１１と裏面側シート１２の周縁部を接合する場合においては、吸収体１３がその接合部分に挟み込まれないようにすることが好ましい。接合部分に吸収体１３が挟み込まれた場合にはパッド１４の周縁部１５が硬くなってしまい、装着時に異物感や不快感を生じたりするおそれがあるからである。吸収体１３が前記接合部分に挟み込まれないようにするためには、例えば、予め一部に開口部を残した状態で表面側シート１１と裏面側シート１２とを接合して袋状とし、当該袋状の部分に吸収体１３を詰め込めばよい。なお、吸収体１３の寸法はパッド１４と同等であってもよいが、前記接合部分は吸収体１３が挟み込まれないようにするために、パッド１４の外輪郭から２〜１０ｍｍの間隔を確保できるように、パッド１４よりやや小さめに構成してもよい。
【００６９】
なお、パッド１４の全体形状としては、陰唇間に装着するのに好適な形状であれば特に限定されず、例えば、楕円型、卵型、ひょうたん型、雫型等の形状とすることができる。
【００７０】
［表面側シート］
透水性の表面側シートとしては、織布、不織布、或いは有孔プラスチックシート等の液体を透過する構造のシート状材料であれば、特に限定されずに使用することができる。織布、不織布の素材としては、天然繊維、化学繊維のいずれも使用することが可能である。天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維に親水化処理を施したもの等が挙げられる。前記熱可塑性疎水性化学繊維としては、ポリエチレン（ＰＥ）、ポリプロピレン（ＰＰ）、ポリエチレンテレフタレート（ＰＥＴ）等の単繊維、ＰＥとＰＰをグラフト重合して成る繊維、或いは芯材がＰＰないしＰＥＴで、鞘部がＰＥの複合繊維などが挙げられる。
【００７１】
なお、特に不織布の場合には、ウェブフォーミングは乾式（カード法、スパンボンド法、メルトブローン法、エアレイド法等）や湿式等を単独、又は複数組み合わせることにより製造してもよい。ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを用いてもよい。
【００７２】
有孔プラスチックシートとしては、ＰＥ、ＰＰ、ＰＥＴといった熱可塑性樹脂の有孔シートや、多孔質の発泡材等を用いることができる。また、これらについては、必要に応じて酸化チタンや炭酸カルシウム等から成るフィラーを０．５〜１０質量％の範囲で混入することにより、白濁化させて使用することも好ましい。また、前記熱可塑性樹脂から成るフィルムをパーフォレーション、ヒートエンボス加工、或いは機械加工等により開孔した有孔フィルムを使用してもよい。有孔フィルムは、不織布との複合シートとして使用してもよい。
【００７３】
このような材料のうち、陰唇内面からの液移動性や活性剤による化学的刺激及び陰唇内壁との密接性を考慮すると、身体面側には繊度１．１〜４．４ｄｔｅｘ、繊維長７〜５１ｍｍからなるレーヨンを合計目付に対して４０〜８０％を積層、その衣服面側には繊度１．１〜４．４ｄｔｅｘ、繊維長７〜５１ｍｍからなり合計目付に対して１４〜４２％のレーヨンと繊度１．１〜４．４ｄｔｅｘ、繊維長７〜５１ｍｍからなり合計目付に対して６〜１８％のＰＥＴを混合して積層し、２層の合計目付が２０〜６０ｇ／ｍ２となるよう積層した後、水流交絡により繊維同士を絡合させて乾燥させ、厚みを０．１３〜０．５０ｍｍの範囲で調整したスパンレース不織布が好ましい。この際、衣服面側にＰＥＴを混入する事により、透水性シートが湿潤状態になっても嵩を維持しやすいため陰唇内壁との密接性を保つことができる。
【００７４】
［吸収体］
吸収体は液体（経血）の吸収保持が可能であればよく、嵩高であり、型崩れし難く、化学的刺激が少ないものであることが好ましい。その材質としては、セルロース（粉砕パルプ、コットン等）、再生セルロース（レーヨン、フィブリルレーヨン等）、半合成セルロース（アセテート、トリアセテート等）、粒子状高分子吸収体、繊維状高分子吸収体、化学繊維（熱可塑性疎水性化学繊維に親水化処理を施したもの等）、ケミカルボンド処理されたエアレイドパルプ、親水性樹脂を単独で又は混合して用いることができる。
【００７５】
また、吸収体として、セルロース発泡体、合成樹脂の連続発泡体等も使用することができる。更に、前記発泡体を粉砕した後に吸収体に成形したものを使用することも可能である。
これらの材料を吸収体に成形する方法は特に限定されるものではないが、例えばエアレイド法、メルトブローン法、スパンレース法、抄紙法等によってシート化したものが使用される。
【００７６】
吸収体は、液体（体液）の吸収保持が可能であればよいが、嵩高であり、型崩れし難く、化学的刺激が少ないもので、さらには陰唇への適合が高い柔軟性を有することが好ましい。具体的には、衣服面側には、繊維長１〜１０ｍｍの範囲から選ばれるパルプを５０〜１５０ｇ／ｍ２積層し、その身体面側には、繊度１．１〜４．４ｄｔｅｘ、繊維長２０〜５１ｍｍの範囲から選ばれるレーヨンを６０〜９０％、天然コットンを４０〜１０％の混合比で１５０〜２５０ｇ／ｍ２積層してドット状のエンボス加工によりシート化させた、嵩２〜１０ｍｍ、好ましくは３〜５ｍｍに調整した不織布シートが挙げられる。これにより、身体面側から衣服面側へ液体を移行させやすく、吸収保持力が高まる。さらには、上記パルプ層の身体面側には繊度１．１〜４．４ｄｔｅｘ、繊維長２５〜５１ｍｍからなるレーヨンを目付１５〜４０ｇ／ｍ２に調整したメッシュスパンレース不織布を敷設する事により、身体面側から移行してきた液体をメッシュスパンレースにより拡散させ、パルプ層のほぼ全域に液体を誘導させる事ができるので、効率良くより多くの液体を吸収する事が可能である。
【００７７】
［裏面側シート］
裏面側シートに使用する材料は、透水性の素材を用いる場合には表面側シートと同様のものを用いることができる。この場合には、パッドを生理用ナプキンと併用することが好ましい（生理用ナプキン併用用パッド）。
【００７８】
また、前記裏面側シートに不透水性の素材を用いる場合には、吸収体に保持された経血が陰唇間パッドの外へ漏れ出すことを防止することができる。更に、透湿性素材から成ることにより、装着時のムレを低減させることができ、装着時における不快感を低減させることが可能となる。
【００７９】
不透水性のシートを採用する場合にあっては、ＰＥ，ＰＰ等を主体とした不透水性フィルム、通気性の樹脂フィルム、撥水処理されたスパンボンド又はスパンレースなどの不織布の裏面に通気性の樹脂フィルムが接合されたものなどを好適に用いることができる。不液透過材である場合には、装着感を損なわない柔軟性を考慮すると、例えば低密度ポリエチレン（ＬＤＰＥ）樹脂を主体とした目付１５〜３０ｇ／ｍ２の範囲から得られるフィルムを使用することが好ましい。さらに好ましくは、陰唇間に装着されている際に、不透水性シート同士、または併用するパッド、下着などに接触した時に、摩擦が高く陰唇間パッドが陰唇から脱落してしまう危険性を低下させるために、上記フィルムにエンボス加工をし、凸状の隆起部を設ける事で、接触率を低下させ摩擦抵抗値を少なくさせてあっても良い。
【００８０】
［ミニシート片］
ミニシート片に使用する材料は、指を挿入した際に破損しない程度の強度を有することを考慮した上で選択することが好ましく、不織布シート、弾性伸縮性不織布、フィルム、フォームフィルム、弾性伸縮性フィルム、発泡シート、薄葉紙等を単独で又はこれらをラミネート加工したものの中から選択することが可能である。具体的には、ＬＤＰＥ樹脂を主成分とした厚さ１５〜３０μｍのフィルム等を選択することができる。
【００８１】
また、ミニシート片に対しては、ミニシート片の識別を着用者が容易に行うことができるようにするために、着色や模様等の印刷といった方法を用いて、裏面側シートとは異なる色調や模様、色度を有するように調整することもできる。
【００８２】
前記ミニシート片は、着用者の指先サイズにかかわらず、本発明に係る陰唇間パッドを効果的に使用することができるようにするために、裏面側シートの短手方向に対して伸長性もしくは弾性伸縮性を持たせることも有効である。
【００８３】
ミニシート片に伸長性を持たせるためには、つかみ間隔１００ｍｍ、引張速度を１００ｍｍ／分で定速伸張した場合の５％伸長時の応力が０．１〜０．５Ｎ／２５ｍｍである伸長性スパンボンド不織布を使用することができる。また、ミニシート片に弾性伸縮性を持たせるためには、熱可塑性エラストマー樹脂を使用した繊維状シートやフィルムシート、及びそれら熱可塑性エラストマー樹脂や天然ゴム等の弾性伸縮性素材を単独で使用してもよく、又は非弾性伸縮性素材と組み合わせて使用してもよい。
【００８４】
［粘着部］
粘着部の配置の仕方としては、面状、ドット状、網目状、筋状などが挙げられる。粘着部の位置は身体への固定が可能であれば特に限定されないが、陰唇付近、特に陰唇の手前部分にある陰毛の存在を考慮した上で、パッドの両側部近傍に筋状に１〜５ｍｍ程度の幅で配置することが好ましい。
【００８５】
なお、粘着部については、一般に剥離紙として用いられている薄葉紙にシリコーン樹脂をコーティングして成るシート、又はプラスチックフィルムにシリコーン樹脂をコーティングして成るシートで被覆しておくことが好ましい。こうすることにより、保管時における粘着部の汚損や剥離を防止し得る。
【００８６】
この粘着力の評価方法の一例について説明する。かかる評価方法は、粘着剤の剥離強度（第１０図）、及び粘着剤のせん断強度（第１１図）を測定するものであり、定速伸張引張試験機及び長さ８０ｍｍ×幅５０ｍｍのステンレス板７１を用いて行う。
【００８７】
評価試験を行うに際しては、予め、ステンレス板７１と略同サイズのポリエチレンフィルム７２に、粘着剤７３を幅２５ｍｍ、長さ５０ｍｍとなるよう塗布したものを室温下（２０℃）で３０分放置しておく。次に、ステンレス板７１に粘着剤７３が接触するようポリエチレンフィルム７２を重ねて軽く載せ、２ｋｇのローラーを１回（片道のみ）かける。その後に室温下（２０℃）に３０分放置して試験片を作製する。
【００８８】
前記のように作製した試験片のポリエチレンフィルム７２の部分を、剥離強度試験においては第１０図に示す矢印Ａの方向に引っ張って剥離し、せん断強度試験においては第１１図に示す矢印Ｂの方向に引っ張る。但し、試験条件としては、チャック間隔（つかみ間隔）７０ｍｍ、引張速度を１００ｍｍ／ｍｉｎとする。
【００８９】
上記方法により測定した場合における剥離強度の測定値は１００〜２０００ｍＮ／２５ｍｍ、せん断強度の測定値は２９００〜１５０００ｍＮ／２５ｍｍであることが好ましい。装着者の肌への負担を考慮したものである。
【００９０】
［（Ｂ）生分解性・水分散性・水溶性を付与した陰唇間パッドの構成］
本発明の陰唇間パッドは生分解性素材及び／又は水分散性素材及び／又は水溶性素材で構成されていることが好ましい。このようなパッドは使用後そのままトイレに脱落させて流すことができるため、パッドの破棄を簡便かつ清潔に行うことができ、トイレ内のゴミの低減を図ることもできるからである。
【００９１】
本明細書において、「生分解性」とは、放線菌をはじめとする細菌、その他の微生物の存在下、自然界のプロセスに従って、嫌気性又は好気性条件下で物質が二酸化炭素又はメタン等のガス、水及びバイオマスに分解されることをいい、当該物質の生分解能（生分解速度、生分解度など）が、落ち葉等の自然に生じる材料、もしくは同一環境下で生分解性として一般に認識される合成ポリマーに匹敵することをいう。「水分散性」とは、水解性と同じ意味であって、使用時の限定された量の水分（経血）では影響はないものの、多量の水または水流中では、繊維同士が、少なくとも一般のトイレ配管を詰まらせることがない程度の小断片に容易に分散される性質のことをいう。「水溶性」とは、使用時の限定された量の水分（経血）では影響はないものの、多量の水または水流中においては溶解する性質のことをいう。
【００９２】
［表面側シート］
透水性の表面側シートの素材としては、天然繊維、化学繊維のいずれも使用することが可能である。天然繊維の例としては、粉砕パルプ、コットン等のセルロース、これらを水溶性樹脂により化学結合して成るエアレイドパルプ等が挙げられる。化学繊維の例としては、レーヨン、フィブリルレーヨン等の再生セルロース、ＰＥ、ＰＰ、ＰＥＴ、エチレン酢酸ビニル共重合体等の化学繊維に親水化処理を施したものの他、いわゆる生分解性繊維であるポリ乳酸、ポリブチレンサクシネート等が挙げられる。また、水溶性を有するカルボキシメチルセルロース、ポリビニルアルコール等を用いてもよい。前記の素材の中でも、パルプやコットン等のセルロース、レーヨン等の再生セルロース、ポリ乳酸等のいわゆる生分解性繊維を用いることが好ましい。
【００９３】
なお、前記の素材は、単独で若しくは混合して、ウェブ又は不織布に成形して用いることができる。ポリ乳酸やポリブチレンサクシネート等のいわゆる生分解性繊維のウェブフォーミングは、カード法、スパンボンド法、メルトブローン法又はエアレイド法による乾式法や湿式法のいずれか、又はこれらを複数組み合わせることにより行ってもよい。ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを用いてもよい。
【００９４】
水分散性を付与する成形方法の例として、繊維同士の水素結合により繊維をシート状に成形して水解紙とする方法、水溶性のバインダーにより繊維同士を結合させ、シート状に成形して水解紙とする方法、或いは繊維を交絡させシート状に成形して水解紙とする方法、などが挙げられる。
【００９５】
なお、良好な水分散性能を持たせるためには、繊維長を２〜５１ｍｍの範囲とすることが好ましく、２〜１０ｍｍの範囲とすることがより好ましい。更に、水分散性と使用時に破損を生じることのない強度とを併有させるために、繊度（太さ）は１．１〜４．４ｄｔｅｘの範囲から選択することが好ましい。特に、繊維としてレーヨンを用いる場合には、その繊度を１．１〜３．３ｄｔｅｘの範囲とすることが好ましい。この範囲未満の場合には水分散性は良好となるものの、乾燥時においてケバ立ち、ケバ抜けが発生し易く、一方、この範囲を超えた場合には水分散性が著しく低下する。
【００９６】
表面側シートの目付は２０〜６０ｇ／ｍ２の範囲とすることが好ましい。また、表面側シートの破断強度（つかみ間隔１００ｍｍ、引張速度１００ｍｍ／分で定速伸長した場合の破断強度）は、縦横ともに少なくとも８００ｍＮ／２５ｍｍであることが必要であり、装着時の柔軟性を考慮すると１０００〜７０００ｍＮ／２５ｍｍの範囲とすることが好ましい。
【００９７】
表面側シートのより具体的な構成としては、例えば、１．１〜４．４ｄｔｅｘで５〜１０ｍｍの長さのレーヨン繊維と木材パルプとを９０：１０〜７０：３０の質量比で混合し、目付を２５〜４０ｇ／ｍ２、厚みを０．２〜０．５ｍｍに調整した湿式スパンレース不織布、などが挙げられる。なお、表面側シートには経血の透過性（透水性）を実質的に向上させたり、或いは経血が透過し易いイメージを付与するために複数の孔を穿設することもできる。この場合、孔径を０．５〜１．５ｍｍの範囲で、孔部面積率（全面積に対する開孔率）を３〜２０％の範囲で形成すればよい。
【００９８】
［吸収体］
吸収体の素材としては、透水性の表面側シートと同様のものを用いることができる。更には、アルギン酸ソーダ、デンプン、カルボキシメチルセルロース等の吸収材や高吸収性ポリマーの粒状物又は繊維状物を単独で若しくは前記の素材と混合し、これを成形したものを用いることも可能である。
【００９９】
吸収体の具体的な構成としては、例えば、木材パルプを目付１５０〜５００ｇ／ｍ２に積層してティッシュに封入し、これをプレス装置にて厚み２〜１０ｍｍに調整したもの、等が挙げられる。デンプンなどの吸収材を５〜３０ｇ／ｍ２の比率で上記吸収体に混入させることにより、経血の吸収や保持能力を増加させることも可能である。
【０１００】
［裏面側シート］
不透水性の裏面側シートの素材としては、メチルセルロース、ヒドロキシエチルセルロース、カルボキシメチルセルロースなどのセルロース誘導体、ポリビニルアルコール、アルギン酸ソーダ、ポリアクリル酸ソーダ、ポリアクリル酸エーテル、ポリビニルピロリドン、イソブチレンと無水マレイン酸との共重合体のような水溶性高分子、或いは、ポリ乳酸、ポリブチレンサクシネート、デンプン、デキストリンなどの生分解性高分子が挙げられる。
【０１０１】
前記の素材については、単独で若しくは前記の素材と混合してフィルムシートに成形することも可能である。更に、当該フィルムシートにシリコーン樹脂などの撥水性素材を塗布し、或いは混合せしめてもよく、また、前記の素材から成る不織布にラミネート加工を施したものであってもよい。
【０１０２】
不透水性の裏面側シートの具体的な構成としては、例えば、ポリビニルアルコールを目付２０〜５０ｇ／ｍ２に調整したフィルムの少なくとも片面に、より好適には両面に、シリコーン樹脂又はフッ素樹脂を厚さ０．５〜５μｍに塗布したもの等、が挙げられる。
【０１０３】
［ミニシート片］
ミニシート片としては、ポリビニルアルコールから成るフィルム、或いは、ポリビニルアルコールから成るフィルムとティッシュとのラミネート材などが挙げられる。
【０１０４】
［接合方法］
また、本発明に適用される接合方法としては、水溶性又は水膨潤性を有するポリビニルアルコール等による接着、ヒートシール、或いは水素結合による接合、等の接合方法を単独で若しくは適宜組み合わせて用いることができる。
【０１０５】
産業上の利用の可能性
以上説明したように、本発明においては、陰唇間パッドを、吸収能を備える平坦領域の一部に隆起領域を設けるようにし、隆起領域と平坦領域の割合を精密に制御したので、隆起領域の傾斜面に沿って経血が流れてしまった場合でも、平坦領域の吸収能力によって経血を確実に吸収し、経血がパッド外に流出してモレが発生する危険性が低減する。従って、陰唇内壁に沿って身体下方向に向かって流下する高速かつ多量の経血をも確実に吸収し得る。
【図面の簡単な説明】
【０１０６】
第１図は、本発明の陰唇間パッドの構成を示す図であって、（ｂ）は上面図、（ａ）は（ｂ）のＡ−Ａ’断面図である。
第２図は、従来の陰唇間パッドの構成を示す斜視図である。
第３図は、本発明の陰唇間パッドの構成を示す斜視図である。
第４図は、本発明の陰唇間パッドの断面を示す斜視図である。
第５図は、本発明の陰唇間パッドの断面を示す斜視図である。
第６図は、本発明の陰唇間パッドの断面を示す斜視図である。
第７図は、本発明の陰唇間パッドの断面を示す斜視図である。
第８図は、本発明の陰唇間パッドの構成を示す図であって、（ｂ）は上面図、（ａ）は（ｂ）のＡ−Ａ’断面図である。
第９図は、本発明の陰唇間パッドの構成を示す斜視図である。
第１０図は、粘着剤の剥離強度測定の実験状況を示す図である。
第１１図は、粘着剤のせん断強度測定の実験状況を示す図である。
第１２図は、本明細書における「実際の幅」と「見かけの幅」の相違を説明するための図である。
第１３図は、本発明の包装体の構成を示す斜視図である。
第１４図は、本発明の包装体の構成を示す斜視図である。
第１５図は、本発明の包装体の構成を示す斜視図である。
第１６図は、本発明の包装体の構成を示す斜視図である。
【図１】
0004230780.tif 000002
【図２】
0004230780.tif 000003
【図３】
0004230780.tif 000004
【図４】
0004230780.tif 000005
【図５】
0004230780.tif 000006
【図６】
0004230780.tif 000007
【図７】
0004230780.tif 000008
【図８】
0004230780.tif 000009
【図９】
0004230780.tif 000010
【図１０】
0004230780.tif 000011
【図１１】
0004230780.tif 000012
【図１２】
0004230780.tif 000013
【図１３】
0004230780.tif 000014
【図１４】
0004230780.tif 000015
【図１５】
0004230780.tif 000016
【図１６】
0004230780.tif 000017